(57)【要約】【課題】ポータブルデジタルプレーヤ１０は、ユーザ３３により携帯されて、自動車３５の車室へ進入すると、車室のヘッドユニット３９へ自動的に無線接続するようなっている。ポータブルデジタルプレーヤ１０が効率的にヘッドユニット３９を探索できるようにして、ワイヤレス送受信モジュール２６における消費電力を低減する。【解決手段】振動センサ２９は、例えば衝撃振動、歩行中の振動、エンジン振動を検出する（Ｓ５１）。振動センサ２９の検出振動が所定のもの、すなわちポータブルデジタルプレーヤ１０が車室に持ち込まれたときに対応するものであると判断される場合のみ（Ｓ５２正）、ワイヤレス送受信モジュール２６を作動させて（Ｓ５３）、ヘッドユニット３９の探索を行う（Ｓ５４，Ｓ５５）。探索頻度を下げつつも、ヘッドユニット３９に迅速に無線接続することができる。【選択図】図６
2013132060.tif 000002
【特許請求の範囲】
【請求項１】
無線接続モジュールの作動により相手側コンテンツ処理装置と無線接続してコンテンツデータの無線伝送を実施するデータ無線伝送手段、
振動を検出する振動センサ、
前記振動センサの検出振動が第一の振動ののちに第二の振動に変化したか否かに基づき相手側コンテンツ処理装置を探索する探索時期であるか否かを判断する探索時期判断手段、及び
探索時期であると判断された時期に、前記無線接続モジュールを停止状態から作動状態へ切替えて相手側コンテンツ処理装置を探索する探索手段、
を備えることを特徴とする携帯型コンテンツ処理装置。
【請求項２】
前記第一の振動と前記第二の振動は所定時間継続する振動であることを特徴とする請求項１記載の携帯型コンテンツ処理装置。
【請求項３】
前記第一の振動は所定時間継続する振動であり、前記第二の振動は所定時間内で終了する振動であることを特徴とする請求項１記載の携帯型コンテンツ処理装置。
【請求項４】
無線接続モジュールの作動により相手側コンテンツ処理装置と無線接続してコンテンツデータの無線伝送を実施するデータ無線伝送ステップ、
振動を検出する振動センサの検出振動が第一の振動ののちに第二の振動へ変化したか否か基づき相手側コンテンツ処理装置を探索する探索時期であるか否かを判断する探索時期判断ステップ、及び
探索時期であると判断された時期に、前記無線接続モジュールを停止状態から作動状態へ切替えて相手側コンテンツ処理装置を探索する探索ステップ、
を備えることを特徴とする制御方法。
【請求項５】
コンピュータに、
無線接続モジュールの作動により相手側コンテンツ処理装置と無線接続してコンテンツデータの無線伝送を実施するデータ無線伝送ステップ、
振動を検出する振動センサの検出振動が第一の振動ののちに第二の振動へ変化したか否か基づき相手側コンテンツ処理装置を探索する探索時期であるか否かを判断する探索時期判断ステップ、及び
探索時期であると判断された時期に、前記無線接続モジュールを停止状態から作動状態へ切替えて相手側コンテンツ処理装置を探索する探索ステップ、
を実行させることを特徴とするプログラム。
【発明の詳細な説明】
【技術分野】
【０００１】
本発明は、車載ヘッドユニット等の相手側コンテンツ処理装置へ無線接続して、コンテンツの再生を実施する携帯型コンテンツ処理装置、制御方法及びプログラムに関するものである。
【背景技術】
【０００２】
特許文献１は、ユーザが携帯して記憶装置内の楽曲を適宜再生して聴くことができるポータブルプレーヤを開示する（特許文献１の図１）。該ポータブルプレーヤは、ユーザの移動に伴い、自宅や車室のネットワークへ無線接続されて、ユーザは、該ポータブルプレーヤの保有楽曲の再生音を該ポータブルプレーヤに代えて他のネットワークオーディオ装置から聴くことができるようにしている（特許文献１の図２〜図４：なお、特許文献１では、該ポータブルプレーヤ自体での再生を「自己再生」と、また、ネットワークを介する再生を「ネットワーク再生」と、それぞれ呼んでいる。）。
【先行技術文献】
【特許文献】
【０００３】
【特許文献１】特開２００７−６６４７２号公報
【発明の概要】
【発明が解決しようとする課題】
【０００４】
ユーザが、ポータブルプレーヤで楽曲を聴きながら移動し、自車に乗込んだりすると、ポータブルプレーヤが自車のヘッドユニットへ自動的に無線接続されて、ポータブルプレーヤの楽曲をヘッドユニットから聴くことができるようになっていると、便利である。これを実現するためには、ポータブルプレーヤは、ユーザによる携帯中、頻繁に無線接続モジュールを作動させて、ヘッドユニットと無線接続できるか否かを監視する必要がある。
【０００５】
一方、ポータブルプレーヤは、バッテリを電源としているので、使用時間を伸ばすために、消費電力を抑えることが必須である。ポータブルプレーヤが、ヘッドユニットの無線接続圏内に入ると速やかに該ヘッドユニットとの無線接続を実現するために、頻繁にヘッドユニットの探索を実施することはバッテリの電力切れを早めることになり、不利である。
【０００６】
本発明の目的は、節電を達成しつつ、相手側コンテンツ処理装置の圏内に入りしだい、該相手側コンテンツ処理装置へ速やかに無線接続することができるようにした携帯型コンテンツ処理装置、制御方法及びプログラムを提供することである。
【課題を解決するための手段】
【０００７】
本発明によれば、携帯型コンテンツ処理装置は、それが無線接続する相手側コンテンツ処理装置との探索時期を、携帯型コンテンツ処理装置に伝達する振動に基づき判断する。
伝達振動には、瞬間的な振動だけでなく、所定時間にわたる変化である振動パターンも含めることができる。例えば相手側コンテンツ処理装置が車載のヘッドユニットである場合には、携帯型コンテンツ処理装置は、自動車の外から車室へ入るので、その移動過程や車室内における振動に特有のものが存在する。したがって、携帯型コンテンツ処理装置は、むやみに相手側コンテンツ処理装置を探索しないようにし、そのような特有の振動を検出した時に絞って、無線接続モジュールを作動させて、相手側コンテンツ処理装置の探索を行うようにする。
【０００８】
本発明の携帯型コンテンツ処理装置は、無線接続モジュールの作動により相手側コンテンツ処理装置と無線接続してコンテンツデータの無線伝送を実施するデータ無線伝送手段、振動を検出する振動センサ、前記振動センサの検出振動が第一の振動ののちに第二の振動に変化したか否か基づき相手側コンテンツ処理装置を探索する探索時期であるか否かを判断する探索時期判断手段、及び探索時期であると判断された時期に、前記無線接続モジュールを停止状態から作動状態へ切替えて相手側コンテンツ処理装置を探索する探索手段、を備えることを特徴とする。
【０００９】
本発明の制御方法は、無線接続モジュールの作動により相手側コンテンツ処理装置と無線接続してコンテンツデータの無線伝送を実施するデータ無線伝送ステップ、振動を検出する振動センサの検出振動が第一の振動ののちに第二の振動に変化したか否かに基づき相手側コンテンツ処理装置を探索する探索時期であるか否かを判断する探索時期判断ステップ、及び探索時期であると判断された時期に、前記無線接続モジュールを停止状態から作動状態へ切替えて相手側コンテンツ処理装置を探索する探索ステップ、を備えることを特徴とする。
【００１０】
本発明のプログラムは、コンピュータに、無線接続モジュールの作動により相手側コンテンツ処理装置と無線接続してコンテンツデータの無線伝送を実施するデータ無線伝送ステップ、振動を検出する振動センサの検出振動が第一の振動ののちに第二の振動へ変化したか否か基づき相手側コンテンツ処理装置を探索する探索時期であるか否かを判断する探索時期判断ステップ及び、探索時期であると判断された時期に、前記無線接続モジュールを停止状態から作動状態へ切替えて相手側コンテンツ処理装置を探索する探索ステップを実行させることを特徴とする。
【発明の効果】
【００１１】
本発明によれば、相手側コンテンツ処理装置との無線接続圏内に入った可能性が高いことを、携帯型コンテンツ処理装置への伝達振動に基づき検出して、可能性が高い時に限定して、相手側コンテンツ処理装置の無線探索を行うので、相手側コンテンツ処理装置の探索頻度を抑制しつつ、すなわち、携帯型コンテンツ処理装置の電力消耗を抑えつつ、相手側コンテンツ処理装置との無線接続圏内に入った時には、遅滞なく相手側コンテンツ処理装置を見付けることができる。
【図面の簡単な説明】
【００１２】
【図１】ポータブルデジタルプレーヤの正面図である。
【図２】ポータブルデジタルプレーヤのハードウェア構成図である。
【図３】ユーザによるポータブルデジタルプレーヤの使用形態の一例を示す図である。
【図４】自動車の車室内に構築されている車内ＬＡＮの説明図である。
【図５】ポータブルデジタルプレーヤの各状態においてポータブルデジタルプレーヤの振動センサが検出する各種の振動を例示する図である。
【図６】ポータブルデジタルプレーヤにおいて実行されるネットワーク探索方法のフローチャートである。
【図７】携帯型コンテンツ処理装置のブロック図である。
【図８】携帯型コンテンツ処理装置用制御方法のフローチャートである。
【発明を実施するための形態】
【００１３】
図１はポータブルデジタルプレーヤ１０の正面図である。ポータブルデジタルプレーヤ１０は、本体１１と、該本体１１へジャックを挿抜自在とするイヤホン１２とを備え、ユーザ３３（図３）の衣服ポケットや鞄３４等に入れて持ち運びできる寸法及び重量となっている。ポータブルデジタルプレーヤ１０は内蔵バッテリの電力により駆動され、該内蔵バッテリはアダプタを使って自宅等で適宜充電可能になっている。本体１１の前面には、カラーＬＣＤ（Liquid Crystal Display）１４及び操作キー１５がそれぞれ上側及び下側に配設されている。イヤホン１２の先端側の左右の放音部からは、楽曲の再生中、その再生音が出力するようになっている。
図２はポータブルデジタルプレーヤ１０のハードウェア構成図である。ポータブルデジタルプレーヤ１０は、カラーＬＣＤ１４及び操作キー１５の他に、メインコントローラ２０、ＥＥＰＲＯＭ(Erasable Programmable ROM)２１、フラッシュメモリ２２、ＤＲＡＭ（Dynamic Random Access Memory）２３、ＵＳＢコントローラ２４、ハードディスク装置２５、ワイヤレス送受信モジュール２６、ＤＡＣ（デジタル／アナログ変換器）２７、オーディオ出力端子（ジャック）２８及び振動センサ２９を備えている。メインコントローラ２０は、演算や制御を行い、カラーＬＣＤ１４、操作キー１５、ＥＥＰＲＯＭ２１、フラッシュメモリ２２、ＤＲＡＭ２３、ＵＳＢコントローラ２４、ハードディスク装置２５、ワイヤレス送受信モジュール２６、ＤＡＣ２７及び振動センサ２９とデータを一方向又は双方向へ送受したり、それらへ制御信号を出力したりする。
【００１４】
ＥＥＰＲＯＭ２１ は適宜、消去及び書込まれるデータを記憶する。フラッシュメモリ２２はプログラムや固定データを記憶する。ＤＲＡＭ２３は、メインコントローラ２０が演算時にデータの一時的格納用に使用する。ＵＳＢコントローラ２４はＵＳＢケーブルを接続される。ハードディスク装置２５は、多数の楽曲ファイルをＭＰ３等の所定のフォーマットで記憶している。ワイヤレス送受信モジュール２６は、他の機器と直接又はネットワークを介して無線接続する際に、作動状態にされる。
メインコントローラ２０は、ハードディスク装置２５の楽曲の再生時に、該楽曲のデータをハードディスク装置２５から読み出して、復調及び復号し、処理後のデジタル信号をＤＡＣ２７へ送る。ＤＡＣ２７は、このデジタル信号をアナログ信号へ変換して、オーディオ出力端子（ジャック）２８へ出力する。振動センサ２９は、例えば加速度センサから成り、ポータブルデジタルプレーヤ１０へ伝達されてくる機械振動を検出する。
【００１５】
図３はユーザ３３によるポータブルデジタルプレーヤ１０の使用形態の一例を示している。ユーザ３３は、ポータブルデジタルプレーヤ１０を鞄３４内に入れて、自動車３５へ乗込んだり、自動車３５から降りたりする。
【００１６】
図４は自動車３５の車室内に構築されている車内ＬＡＮ（Local Area Network）４１の説明図である。ヘッドユニット３９は、アクセスポイント４２と共に車内ＬＡＮ４１へ有線で接続されている。スピーカ４０は、自動車３５の車室の左右にそれぞれ配備され、ヘッドユニット３９から楽曲の音声信号を供給されて、該楽曲の再生音を車室へ出力する。
ポータブルデジタルプレーヤ１０は、車室内に持ち込まれた後、ワイヤレス送受信モジュール２６の作動によりアクセスポイント４２へ無線接続される。ユーザ３３は、車室内でヘッドユニット３９を操作して、ポータブルデジタルプレーヤ１０のハードディスク装置２５の楽曲の再生音を車内のスピーカ４０から出力させて、聴くことができる。
【００１７】
ユーザ３３は、イヤホン１２の放音部を耳に差し込んで、ポータブルデジタルプレーヤ１０の楽曲をポータブルデジタルプレーヤ１０で再生しながら、自動車３５へ乗込む場合だけでなく、図３のように、ポータブルデジタルプレーヤ１０を鞄３４の中に入れて、楽曲を聴くことなく、自動車３５へ乗込む場合がある。前者の場合では、ユーザ３３が車室へ入りしだい、再生音の出力がポータブルデジタルプレーヤ１０のイヤホン１２から車内のスピーカ４０へ自動に切り替わると、便利である。また、後者の場合も、ユーザ３３が車室へ入りしだい、ヘッドユニット３９におけるユーザ操作によりポータブルデジタルプレーヤ１０の楽曲をスピーカ４０から再生できるようにすると、便利である。該ポータブルデジタルプレーヤ１０はこれを実現するものである。
【００１８】
図５はポータブルデジタルプレーヤ１０の各状態においてポータブルデジタルプレーヤ１０の振動センサ２９が検出する各種の振動を例示している。ユーザ３３が、鞄３４の中へポータブルデジタルプレーヤ１０を入れて、自動車３５へ乗込む場合のユーザ３３の典型的な動作パターンとしては、（ａ）自動車３５へ向かって歩行し、次に、（ｂ）ユーザ３３のドアを開けるために、停止し、次に、（ｃ）ドアを開いて、自動車３５内へ乗込み、次に、（ｄ）鞄３４を助手席等へ下ろし、次に、（ｅ）エンジンを始動させ、次に（ｆ）自動車３５を走行させる。したがって、このような状態（ａ）〜（ｅ）に対応する振動を監視することにより、ユーザ３３の移動状況や現在の場所を把握することができる。
【００１９】
図５における振動Ｖ１は、（ａ）の状態に対応し、すなわち歩行期間における検出振動であり、周波数及び振幅共に小さく、かつ所定時間、継続するという特徴をもつ。振動Ｖ２は、（ｄ）の状態に対応し、鞄３４を座席等へ下ろした時に検出されるものであり、振幅が大きくかつ短時間で終了するという特徴をもつ。Ｖ３は（ｅ）及び（ｆ）の状態に対応し、すなわちエンジン振動であり、周波数が高い一定値であるとともに、振幅が小さく、かつ所定時間、継続するという特徴をもつ。
【００２０】
Ｖ１〜Ｖ３は相互に明確に識別することができる。これにより、例えば、ユーザ３３が自動車３５に乗込んで、ポータブルデジタルプレーヤ１０が車内ＬＡＮ４１の無線接続圏に進入したことを、振動センサ２９の検出振動から検出する場合には、個別の振動、又は個別の振動の集合としての振動パターンから検出することができる。具体的には、例えば、Ｖ２の振動、Ｖ１→Ｖ２の振動パターン、Ｖ１→Ｖ２→Ｖ３の振動パターンが検出された時、又はＶ３の開始時を、ポータブルデジタルプレーヤ１０が車内ＬＡＮ４１の無線接続圏に進入したと判断する。
【００２１】
所定振動又は所定振動パターンの出現ではなく、所定振動又は所定振動パターンの消失を、ポータブルデジタルプレーヤ１０が車内ＬＡＮ４１の無線接続圏に進入したと判断するようにしてもよい。例えば、ユーザ３３は自動車３５へ乗り込むとき立ち止まるので、Ｖ１の終了を、ポータブルデジタルプレーヤ１０が車内ＬＡＮ４１の無線接続圏に進入したと判断してもよい。なお、Ｖ３の終了は、ポータブルデジタルプレーヤ１０が自動車３５から出た時と推察され、この時に、ワイヤレス送受信モジュール２６の作動を停止させて、ヘッドユニット３９との無線接続を自動的に切ることができる。
【００２２】
図６はポータブルデジタルプレーヤ１０において実行されるネットワーク探索方法５０のフローチャートである。ネットワーク探索方法５０は、ユーザ３３が自動車３５に乗込んだ時に、ポータブルデジタルプレーヤ１０を自動車３５のヘッドユニット３９へ自動接続させる。ネットワーク探索方法５０は例えば一定時間間隔で作動する。
【００２３】
Ｓ５１では、振動センサ２９の電源をオンにする。これにより、振動センサ２９は作動状態に切り替わる。Ｓ５２では、振動センサ２９の検出振動が所定の振動に対応しているか否かを判定し、判定結果が正になりしだい、Ｓ５３へ進む。該所定の振動とは、例えば、ポータブルデジタルプレーヤ１０が車内ＬＡＮ４１の無線接続圏に進入した時の振動として前述したものであり、Ｖ２の振動、Ｖ１→Ｖ２の振動パターン、又はＶ１→Ｖ２→Ｖ３の振動パターンである。
【００２４】
Ｓ５３では、ワイヤレス送受信モジュール２６の電源をオンにする。Ｓ５４では、ワイヤレスネットワークとしての車内ＬＡＮ４１への接続処理を行う。Ｓ５５では、車内ＬＡＮ４１へ接続処理ができたか否かを判定し、判定結果が正であれば、Ｓ５６へ進み、否であれば、Ｓ５７へ進む。なお、Ｓ５５の判定結果が正である場合、Ｓ５６をスキップして、直ちに、ネットワーク探索方法５０を終了するようにしてもよい。
【００２５】
Ｓ５６では、節電のために、振動センサ２９の電源がオフにされる。Ｓ５７では、ワイヤレス送受信モジュール２６の電源をオフにして、Ｓ５２へ戻る。なお、Ｓ５５の判定が正で、Ｓ５６へ進んだか、又はネットワーク探索方法５０を終了した場合には、ワイヤレス送受信モジュール２６の電源はオンに維持されて、ポータブルデジタルプレーヤ１０はヘッドユニット３９との無線接続を保持する。ポータブルデジタルプレーヤ１０は、ヘッドユニット３９との接続の保持により、ハードディスク装置２５内の楽曲のデータをヘッドユニット３９へ送信することができ、これにより、ユーザ３３は、ヘッドユニット３９を操作して、該楽曲の再生音を車内のスピーカ４０から聴くことができる。
【００２６】
図７は携帯型コンテンツ処理装置６４のブロック図である。携帯型コンテンツ処理装置６４は、データ無線伝送手段６５、振動センサ６６、探索時期判断手段６７及び探索手段６８を備える。携帯型コンテンツ処理装置６４は、さらに、無線接続制御手段７６、電力残量検出手段７８及び通知手段７９を備えることができる。携帯型コンテンツ処理装置６４は、無線接続モジュール７２の作動により相手側コンテンツ処理装置７３と無線接続し、無線接続によりコンテンツデータを相手側コンテンツ処理装置７３へ送信、又は相手側コンテンツ処理装置７３から受信して、該コンテンツデータに係るコンテンツを相手側コンテンツ処理装置７３又は自機において再生性可能にしている。
【００２７】
携帯型コンテンツ処理装置６４及び相手側コンテンツ処理装置７３の具体例はそれぞれ前述のポータブルデジタルプレーヤ１０（図１）及びヘッドユニット３９（図４）である。コンテンツデータについて、ポータブルデジタルプレーヤ１０及びヘッドユニット３９はそれぞれ送信側及び受信側になっているが、携帯型コンテンツ処理装置６４及び相手側コンテンツ処理装置７３では、コンテンツデータについて、携帯型コンテンツ処理装置６４及び相手側コンテンツ処理装置７３がそれぞれ受信側及び送信側となっていてもよいとする。
【００２８】
携帯型コンテンツ処理装置６４のコンテンツは、楽曲に限定されず、楽曲以外のオーディオやビデオであってもよい。相手側コンテンツ処理装置７３は、車載に限定されず、無線ＬＡＮを利用することができるホットスポット（hot spot）の機器（例：パソコン、及び楽曲を有料又は無料で配信するサーバ）であってもよい。
【００２９】
さらに、携帯型コンテンツ処理装置６４は、相手側コンテンツ処理装置７３へ無線接続される直前において、自機のコンテンツを再生している状態にあってもよいし、なくてもよい。
【００３０】
データ無線伝送手段６５は、無線接続モジュール７２の作動により相手側コンテンツ処理装置７３と無線接続してコンテンツデータの無線伝送を実施する。振動センサ６６は、携帯型コンテンツ処理装置６４へ伝達されて来る振動を検出する。探索時期判断手段６７は、携帯型コンテンツ処理装置６４の検出振動に基づき相手側コンテンツ処理装置７３を探索する探索時期であるか否かを判断する。探索手段６８は、探索時期であると判断された時期に、無線接続モジュール７２を停止状態から作動状態へ切替えて相手側コンテンツ処理装置７３を探索する。
【００３１】
携帯型コンテンツ処理装置６４と相手側コンテンツ処理装置７３との無線接続は、両者間の直接的な無線接続に限定されない。相手側コンテンツ処理装置７３はネットワークへ有線接続されるが、携帯型コンテンツ処理装置６４は該ネットワークへ無線接続されている接続形式であってもよい。また、該ネットワークは、インフラストラクチャー型ネットワークであっても、アドホック型ネットワークであってもよい。
【００３２】
携帯型コンテンツ処理装置６４は、相手側コンテンツ処理装置７３の探索の際は、無線接続モジュール７２を作動状態にする必要があり、無線接続モジュール７２の頻繁な作動は、無線接続モジュール７２との無線接続圏内に進入した時に、速やかに無線接続モジュール７２を見付けて、無線接続モジュール７２との無線接続状態となる利点があるものの、バッテリ８１の電力を消耗させる。携帯型コンテンツ処理装置６４では、探索手段６８がむやみに相手側コンテンツ処理装置７３の探索を行うことなく、探索時期判断手段６７が、振動センサ６６が所定の振動を検出した時に限定して、相手側コンテンツ処理装置７３を探索することになっているので、無線接続モジュール７２の探索頻度は大幅に減少し、これにより、携帯型コンテンツ処理装置６４の電力消耗を抑制することができる。
【００３３】
携帯型コンテンツ処理装置６４は、相手側コンテンツ処理装置７３との無線接続の圏内へ進入した可能性の十分にあることを振動センサ６６の検出振動に基づき検出して、そのような時期に限定して、相手側コンテンツ処理装置７３の探索を行う。したがって、探索頻度は低下するものの、探索効率を維持して、相手側コンテンツ処理装置７３との無線接続の圏内へ進入した時には、速やかに相手側コンテンツ処理装置７３との無線接続を確立することができる。
【００３４】
好ましくは、検出振動には、所定時間にわたる検出振動の変化としての振動パターンが含まれる。振動パターンの具体例として、図５を参照して前述したＶ１→Ｖ２や、Ｖ１→Ｖ２→Ｖ３の振動パターンである。
【００３５】
探索時期判断手段６７が探索時期の判断の基にする検出振動には、例えば、所定の衝撃振動（例：図４のＶ２）、所定のエンジン振動（例：図４のＶ３）及び／又は携帯型コンテンツ処理装置を携帯するユーザの歩行中の所定の振動（例：図４のＶ１）がある。
【００３６】
好ましくは、探索手段６８は、相手側コンテンツ処理装置７３の探索のために接続したネットワークのＩＤを割り出し、割り出したネットワークＩＤが所定のものでなければ、該ＩＤには相手側コンテンツ処理装置は無いと判断する。例えば、自車の隣に他人の自動車が駐車しており、該他人の自動車にもワイヤレスネットワークが装備されている場合がある。このような場合に、探索手段６８は、該他人の自動車のネットワークから漏れた電波に感応して、該他人の自動車のネットワークへ接続してしまうことがある。ネットワークＩＤを識別することによる相手側コンテンツ処理装置７３の探索は、このような弊害を防止することができる。
【００３７】
好ましくは、探索時期判断手段６７は、相手側コンテンツ処理装置７３を見付けた時の検出振動を学習し、学習結果の検出振動と振動センサ６６が今回、検出した振動との対比に基づき相手側コンテンツ処理装置７３の探索時期か否かを判断する。携帯型コンテンツ処理装置６４が相手側コンテンツ処理装置７３との無線接続圏内に進入したにもかかわらず、これを見逃すことを回避するために、検出振動と対比する基準振動との一致の幅は最初は比較的大きく設定される。結果、探索手段６８による相手側コンテンツ処理装置７３の探索頻度は増大し、その分、バッテリ８１の電力の消耗は大きい。学習が進むに連れて、検出振動と対比する基準振動との一致の幅は減少し、探索成功率を高く維持したまま、探索頻度を減少させて、バッテリ８１の電力消耗を抑制することができる。
【００３８】
典型的には、相手側コンテンツ処理装置７３は車載機器である。探索時期判断手段６７は、振動センサ６６の検出振動に基づき携帯型コンテンツ処理装置６４が自動車外から自動車内へ持ち込まれたか否かを判断し、持ち込まれたと判断したならば、現在を相手側コンテンツ処理装置７３の探索時期とする。前述のポータブルデジタルプレーヤ１０による自動車３５におけるヘッドユニット３９の探索は、この具体例である。
【００３９】
携帯型コンテンツ処理装置６４は、好ましくは、無線接続制御手段７６を備える。無線接続制御手段７６は、探索手段６８の探索の結果、相手側コンテンツ処理装置７３が見付かれば、無線接続モジュール７２の作動を維持して相手側コンテンツ処理装置７３との無線接続を維持する。
【００４０】
無線接続制御手段７６は、相手側コンテンツ処理装置７３との無線接続維持中、相手側コンテンツ処理装置７３からの携帯型コンテンツ処理装置６４へのアクセス無しの状態が所定時間値以上に達すると、無線接続モジュール７２の作動を停止して、相手側コンテンツ処理装置７３との無線接続を切る。こうして、相手側コンテンツ処理装置７３との間に無線接続が確立された後も、無線接続が無駄と判断した場合には、無線接続モジュール７２の作動を停止させて、節電を図ることができる。
【００４１】
所定時間値以上のアクセス無し状態の経過に伴う無線接続の切断では、探索手段６８は、相手側コンテンツ処理装置７３との接続切断後、別の所定時間が経過してから相手側コンテンツ処理装置７３との再接続を行うようになっていてもよい。これにより、相手側コンテンツ処理装置７３との間で、再度、コンテンツデータの送受が開始されるようになった時の無線接続切れを極力回避することができる。
【００４２】
携帯型コンテンツ処理装置６４は電力残量検出手段７８及び通知手段７９を備えることができる。電力残量検出手段７８は、携帯型コンテンツ処理装置６４の電源としてのバッテリ８１の電力残量を検出する。通知手段７９は、電力残量が所定値未満であると、又は所定値未満になると、相手側コンテンツ処理装置７３へ電力残量に係る情報を通知する。バッテリ８１は例えば充電式又は乾電池式である。無線接続制御手段７６は、通知手段７９による相手側コンテンツ処理装置７３への通知後に、無線接続モジュール７２の作動を停止して、相手側コンテンツ処理装置７３との無線接続を切る。このような通知がなされないまま、携帯型コンテンツ処理装置６４と相手側コンテンツ処理装置７３との無線接続が切れてしまうと、ユーザは、携帯型コンテンツ処理装置６４が故障かと誤解し、振動センサ６６が振動に検知するように、携帯型コンテンツ処理装置６４を意図的に叩いたりする場合がある、該通知はこのような無駄な行為を抑制するとともに、ユーザの不審を防止することができる。
【００４３】
好ましくは、探索手段６８は、振動センサ６６の検出振動が所定のエンジン振動に対応しているか否かに基づき携帯型コンテンツ処理装置６４が自動車内に留まっているか否かを検出し、携帯型コンテンツ処理装置６４が自動車内に留まっている期間では、車載機器が見付かるまで、車載機器の再探索を繰り返す。エンジン振動は、車内特有の振動であるので、携帯型コンテンツ処理装置６４が車内にあることは、エンジン振動の検出により的確に把握することができる。相手側コンテンツ処理装置７３がオフされている等の一時的な原因のために、携帯型コンテンツ処理装置６４は相手側コンテンツ処理装置７３へ一時的に無線接続できない場合があるが、再探索を行うことにより、相手側コンテンツ処理装置７３が復帰した場合には、速やかに携帯型コンテンツ処理装置６４を相手側コンテンツ処理装置７３へ接続することができる。
【００４４】
さらに、好ましくは、探索手段６８は、車載機器の再探索の繰り返しは所定時間内又は所定回数内に制限する。探索手段６８は、相手側コンテンツ処理装置７３の再探索の繰り返しの時間間隔を時間経過に連れて伸ばしていくようになっていてもよい。
【００４５】
好ましくは、無線接続制御手段７６は、携帯型コンテンツ処理装置６４が外部電源からの電力を供給されている期間では、バッテリ８１の電力残量に関係なく、車載機器との接続を維持する。これにより、携帯型コンテンツ処理装置６４の電源切れの心配のない場合には、携帯型コンテンツ処理装置６４は相手側コンテンツ処理装置７３へ継続的に無線接続されて、コンテンツデータを携帯型コンテンツ処理装置６４−相手側コンテンツ処理装置７３間で送受して、支障のない再生を確保することができる。
【００４６】
図８は携帯型コンテンツ処理装置用制御方法９０のフローチャートである。携帯型コンテンツ処理装置用制御方法９０は無線接続モジュール７２の作動により相手側コンテンツ処理装置７３と無線接続してコンテンツデータの無線伝送を実施する。携帯型コンテンツ処理装置用制御方法９０は、例えば、無線接続モジュール７２の停止状態期間（＝無給電期間）において、一定時間間隔で起動する。
【００４７】
Ｓ９１では、振動センサ６６の検出振動に基づき相手側コンテンツ処理装置７３を探索する探索時期であるか否かを判断する。Ｓ９２では、Ｓ９１の判断結果に基づき、判断結果が正であれば、Ｓ９３へ進み、否であれば、携帯型コンテンツ処理装置用制御方法９０を終了する。Ｓ９３では、無線接続モジュール７２を停止状態から作動状態へ切替えて相手側コンテンツ処理装置７３を探索する。なお、Ｓ９２で否となって携帯型コンテンツ処理装置用制御方法９０を終了する場合は、無線接続モジュール７２は引き続き無給電状態に維持されて、停止状態に維持されることになる。
【００４８】
Ｓ９１，Ｓ９３の処理は、携帯型コンテンツ処理装置６４の探索時期判断手段６７及び探索手段６８の機能にそれぞれ対応している。したがって、探索時期判断手段６７及び探索手段６８の機能について述べた具体的態様はＳ９１，Ｓ９３の処理についての具体的態様としても適用可能である。
【００４９】
図７を参照して説明した、携帯型コンテンツ処理装置６４の電力残量検出手段７８及び通知手段７９の各機能と、これら電力残量検出手段７８及び通知手段７９と共働する探索時期判断手段６７、探索手段６８及び無線接続制御手段７６の各機能とにそれぞれ対応する処理を実施する各ステップから成る方法を構築することができる。そのような共働機能における探索時期判断手段６７、探索手段６８、無線接続制御手段７６、電力残量検出手段７８及び通知手段７９の各機能の具体的態様は、該方法における各対応ステップの処理についての具体的態様としても適用可能である。
【００５０】
本発明を適用したプログラムは、コンピュータを携帯型コンテンツ処理装置６４の各手段として機能させる。本発明を適用した別のプログラムは、携帯型コンテンツ処理装置用制御方法９０の各ステップをコンピュータに実行させる。
【００５１】
本明細書は様々な発明を開示している。それら発明には、発明の最良の形態の項で説明した各装置及び各方法だけでなく、各装置及び各方法から独立の作用、効果を奏する１つ又は複数の要素を抽出したものや、１つ又は複数の要素を自明の範囲で変更したものや、さらに、各装置間及び各方法間で１つ又は複数の要素の組合せを入れ換えたものを含む。
【符号の説明】
【００５２】
６４      携帯型コンテンツ処理装置
６５      データ無線伝送手段
６６      振動センサ
６７      探索時期判断手段
６８      探索手段
７２      無線接続モジュール
７３      相手側コンテンツ処理装置
７６      無線接続制御手段
７８      電力残量検出手段
７９      通知手段
８１      バッテリ
９０      携帯型コンテンツ処理装置用制御方法のフローチャート
【図１】
2013132060.tif 000003
【図２】
2013132060.tif 000004
【図３】
2013132060.tif 000005
【図４】
2013132060.tif 000006
【図５】
2013132060.tif 000007
【図６】
2013132060.tif 000008
【図７】
2013132060.tif 000009
【図８】
2013132060.tif 000010